(57)【要約】      （修正有）【課題】基地局ゲートウェイ、基地局ゲートウェイによる基地局切り替え方法及びデータ処理方法を提供する。【解決手段】基地局ゲートウェイは、少なくとも二つのホーム基地局の第１の識別子を記憶する記憶モジュールと、通信元のホーム基地局から送信された切り替え要求メッセージをＲＡＮＡＰで分析し、通信先のホーム基地局の第２の識別子を取得する分析モジュールと、記憶モジュールを検索し、第２の識別子が、第１の識別子のうちの一つであるか否かを判断する判断モジュールと、第２の識別子が第１の識別子のうちの一つであるとき、通信元と通信先のホーム基地局とやり取りして、通信元のホーム基地局から通信先のホーム基地局への切り替えをＲＡＮＡＰで実現する切り替え制御モジュールと、第２の識別子が第１の識別子のうちの一つではないとき、切り替え要求メッセージをコアネットワークへ転送する転送モジュールとを含む。【選択図】図６
2010081605.tif 000002
【特許請求の範囲】
【請求項１】
同一のマルチセルクローズドユーザグループに属する少なくとも二つのホーム基地局を管轄する基地局ゲートウェイであって、
前記少なくとも二つのホーム基地局の第１の識別子を記憶するための記憶モジュールと、
通信元のホーム基地局から送信された切り替え要求メッセージをＲＡＮＡＰプロトコルで分析し、前記切り替え要求における通信先のホーム基地局の第２の識別子を取得するための分析モジュールと、
前記記憶モジュールを検索し、前記第２の識別子が前記第１の識別子のうちの一つであるか否かを判断して判断結果を得るための判断モジュールと、
前記判断結果により、前記第２の識別子が前記第１の識別子のうちの一つであることを示すとき、前記通信元のホーム基地局と通信先のホーム基地局とやり取りして、前記通信元のホーム基地局から通信先のホーム基地局への切り替えをＲＡＮＡＰプロトコルで実現するための切り替え制御モジュールと、
前記判断結果により、前記第２の識別子が前記第１の識別子のうちの一つではないことを示すとき、前記切り替え要求メッセージをコアネットワークへ転送するための転送モジュールと
を含むことを特徴とする基地局ゲートウェイ。
【請求項２】
前記ホーム基地局は、統合無線通信システムにおけるホーム基地局又はロング・ターム・エボリューションネットワークにおけるエボリューションしたホーム基地局であることを特徴とする請求項１に記載の基地局ゲートウェイ。
【請求項３】
前記切り替え制御モジュールは、
前記切り替え要求メッセージを受信し、前記切り替え要求メッセージを受信した後、前記通信先のホーム基地局に対して切り替え要求命令を送信するための第１の送受信手段と、
前記通信先のホーム基地局との間にトランスポートネットワークレイヤの伝送チャネルを確立するためのチャネル確立手段と、
トランスポートネットワークレイヤの伝送チャネルが確立された後に前記通信先のホーム基地局から返信された切り替え要求確認メッセージを受信し、前記切り替え要求確認メッセージを受信した後、前記通信元のホーム基地局に対して切り替え命令メッセージを送信するための第２の送受信手段とを含み、
前記切り替え命令メッセージに基づいて、前記通信元のホーム基地局、ユーザ設備、通信先のホーム基地局はやり取りして、前記通信元のホーム基地局から通信先のホーム基地局への切り替えを実現することを特徴とする請求項１又は２に記載の基地局ゲートウェイ。
【請求項４】
前記切り替え制御モジュールは、
切り替えた後に前記通信先のホーム基地局から送信された切り替え終了メッセージを受信し、前記切り替え終了メッセージを受信した後、前記通信元のホーム基地局に対して資源放出命令を送信するための第３の送受信手段を更に含み、
前記資源放出命令に基づいて、前記通信元のホーム基地局は、アクセスリンク制御応用部分のデータ伝送ベアラを放出することを特徴とする請求項３に記載の基地局ゲートウェイ。
【請求項５】
コアネットワークからのデータをバッファリングするためのデータバッファモジュールと、
前記切り替え制御モジュールが前記通信先のホーム基地局から送信された切り替え要求確認メッセージを受信した後、前記通信先のホーム基地局に対して、データバッファモジュールにバッファリングされたデータを送信するための第１のデータ送信モジュールと
を更に含むことを特徴とする請求項１又は２に記載の基地局ゲートウェイ。
【請求項６】
前記切り替え制御モジュールが前記通信先のホーム基地局から送信された切り替え終了メッセージを受信するまで、前記通信元のホーム基地局に対して、データバッファモジュールにバッファリングされたデータを送信するための第２のデータ送信モジュールを更に含むことを特徴とする請求項５に記載の基地局ゲートウェイ。
【請求項７】
前記切り替え制御モジュールが前記通信先のホーム基地局から送信された切り替え要求確認メッセージを受信するまで、前記通信元のホーム基地局に対して、データバッファモジュールにバッファリングされたデータを送信するための第３のデータ送信モジュールを更に含むことを特徴とする請求項５に記載の基地局ゲートウェイ。
【請求項８】
前記切り替え制御モジュールが前記通信先のホーム基地局から送信された切り替え終了メッセージを受信するまで、前記通信元のホーム基地局に対して、データバッファモジュールにバッファリングされたデータを送信するための第２のデータ送信モジュールと、
前記切り替え制御モジュールが前記通信先のホーム基地局から送信された切り替え要求確認メッセージを受信するまで、前記通信元のホーム基地局に対して、データバッファモジュールにバッファリングされたデータを送信するための第３のデータ送信モジュールと、
移動端末に配布されたデータのトラフィック分類がリアルタイムトラフィックである場合、前記第２のデータ送信モジュールを起動させて前記第３のデータ送信モジュールを停止させ、リアルタイムトラフィックではない場合、前記第３のデータ送信モジュールを起動させて前記第２のデータ送信モジュールを停止させるための伝送モード選択モジュールと
を更に含むことを特徴とする請求項５に記載の基地局ゲートウェイ。
【請求項９】
移動端末に配布されたデータのトラフィック分類がリアルタイムトラフィックである場合、前記通信先のホーム基地局に対して、バッファを確立して受信した下りデータをバッファリングするよう通知するための通知モジュールを更に含むことを特徴とする請求項８に記載の基地局ゲートウェイ。
【請求項１０】
同一のマルチセルクローズドユーザグループに属する少なくとも二つのホーム基地局を管轄する基地局ゲートウェイによる基地局切り替え方法であって、
基地局ゲートウェイが、通信元のホーム基地局から送信された切り替え要求メッセージをＲＡＮＡＰプロトコルを利用して分析し、前記切り替え要求における通信先のホーム基地局の第２の識別子を取得するステップＡと、
前記基地局ゲートウェイが、予め格納されたものであって、前記同一のマルチセルクローズドユーザグループに属する少なくとも二つのホーム基地局の第１の識別子を検索し、前記第２の識別子が前記第１の識別子のうちの一つであるか否かを判断して判断結果を得るステップＢと、
前記判断結果により、前記第２の識別子が前記第１の識別子のうちの一つであることを示すとき、前記基地局ゲートウェイが、前記通信元のホーム基地局と通信先のホーム基地局とやり取りして、前記通信元のホーム基地局から通信先のホーム基地局への切り替えをＲＡＮＡＰプロトコルで実現し、前記判断結果により、前記第２の識別子が前記第１の識別子のうちの一つではないことを示すとき、前記切り替え要求メッセージをコアネットワークへ転送するステップＣと
を含むことを特徴とする方法。
【請求項１１】
前記ステップＣにおいて、
前記基地局ゲートウェイが、前記切り替え要求メッセージを受信し、前記切り替え要求メッセージを受信した後、前記通信先のホーム基地局に対して切り替え要求命令を送信し、
前記基地局ゲートウェイが、前記通信先のホーム基地局との間にトランスポートネットワークレイヤの伝送チャネルを確立し、
前記基地局ゲートウェイが、トランスポートネットワークレイヤの伝送チャネルが確立された後に前記通信先のホーム基地局から返信された切り替え要求確認メッセージを受信し、
前記基地局ゲートウェイが、前記通信元のホーム基地局に対して切り替え命令メッセージを送信し、前記切り替え命令メッセージに基づいて、前記通信元のホーム基地局、ユーザ設備、通信先のホーム基地局はやり取りして、前記通信元のホーム基地局から通信先のホーム基地局への切り替えを実現することを特徴とする請求項１０に記載の方法。
【請求項１２】
前記ステップＣにおいて、
前記基地局ゲートウェイが、切り替えた後に前記通信先のホーム基地局から送信された切り替え終了メッセージを受信し、前記通信元のホーム基地局に対して資源放出命令を送信し、前記資源放出命令に基づいて、前記通信元のホーム基地局は、アクセスリンク制御応用部分のデータ伝送ベアラを放出することを特徴とする請求項１１に記載の方法。
【請求項１３】
前記ステップＣの実行中において、前記方法は、更に、
前記基地局ゲートウェイが、コアネットワークからのデータをバッファリングするステップＤと、
前記基地局ゲートウェイが、前記通信先のホーム基地局から送信された切り替え要求確認メッセージを受信した後、前記通信先のホーム基地局に対して、バッファリングされたデータを送信するステップＥと
を含むことを特徴とする請求項１０又は１１又は１２に記載の方法。
【請求項１４】
前記ステップＤの実行後において、更に、
前記基地局ゲートウェイが、前記通信先のホーム基地局から送信された切り替え終了メッセージを受信するまで、前記通信元のホーム基地局に対して、データバッファモジュールにバッファリングされたデータを送信するステップＥ、又は、
前記基地局ゲートウェイが、前記通信先のホーム基地局から送信された切り替え要求確認メッセージを受信するまで、前記通信元のホーム基地局に対して、データバッファモジュールにバッファリングされたデータを送信するステップＥ’
を含むことを特徴とする請求項１３に記載の方法。
【請求項１５】
前記コアネットワークからのデータのトラフィック分類がリアルタイムトラフィックである場合、前記ステップＥを実行し、前記コアネットワークからのデータのトラフィック分類がリアルタイムトラフィックではない場合、前記ステップＥ’を実行することを特徴とする請求項１４に記載の方法。
【請求項１６】
前記ステップＥの実施後において、更に、
前記基地局ゲートウェイが、前記通信先のホーム基地局に対して、バッファを確立して受信した下りデータをバッファリングするよう通知するステップＦを含むことを特徴とする請求項１５に記載の方法。
【請求項１７】
同一のマルチセルクローズドユーザグループに属する少なくとも二つのホーム基地局を管轄する基地局ゲートウェイであって、
コアネットワークからのデータをバッファリングするためのデータバッファモジュールと、
通信元のホーム基地局と通信先のホーム基地局とシグナリングのやり取りをして、前記通信元のホーム基地局から通信先のホーム基地局に切り替えるためのシグナリングやり取りモジュールと、
前記シグナリングやり取りモジュールが前記通信先のホーム基地局から送信された切り替え要求確認メッセージを受信した後、前記通信先のホーム基地局に対して、データバッファモジュールにバッファリングされたデータを送信するための第１のデータ送信モジュールと
を含むことを特徴とする基地局ゲートウェイ。
【請求項１８】
前記シグナリングやり取りモジュールが前記通信先のホーム基地局から送信された切り替え終了メッセージを受信するまで、前記通信元のホーム基地局に対して、データバッファモジュールにバッファリングされたデータを送信するための第２のデータ送信モジュール、又は
前記シグナリングやり取りモジュールが前記通信先のホーム基地局から送信された切り替え要求確認メッセージを受信するまで、前記通信元のホーム基地局に対して、データバッファモジュールにバッファリングされたデータを送信するための第３のデータ送信モジュール
を更に含むことを特徴とする請求項１７に記載の基地局ゲートウェイ。
【請求項１９】
前記シグナリングやり取りモジュールが前記通信先のホーム基地局から送信された切り替え終了メッセージを受信するまで、前記通信元のホーム基地局に対して、データバッファモジュールにバッファリングされたデータを送信するための第２のデータ送信モジュールと、
前記シグナリングやり取りモジュールが前記通信先のホーム基地局から送信された切り替え要求確認メッセージを受信するまで、前記通信元のホーム基地局に対して、データバッファモジュールにバッファリングされたデータを送信するための第３のデータ送信モジュールと、
移動端末に配布されたデータのトラフィック分類がリアルタイムトラフィックである場合、前記第２のデータ送信モジュールを起動させて前記第３のデータ送信モジュールを停止させ、リアルタイムトラフィックではない場合、前記第３のデータ送信モジュールを起動させて前記第２のデータ送信モジュールを停止させるための伝送モード選択モジュールと
を更に含むことを特徴とする請求項１７に記載の基地局ゲートウェイ。
【請求項２０】
移動端末に配布されたデータのトラフィック分類がリアルタイムトラフィックである場合、前記通信先のホーム基地局に対して、バッファを確立して受信した下りデータをバッファリングするよう通知する通知モジュールを更に含むことを特徴とする請求項１９に記載の基地局ゲートウェイ。
【請求項２１】
同一のマルチセルクローズドユーザグループに属する少なくとも二つのホーム基地局を管轄する基地局ゲートウェイによる基地局切り替え時のデータ処理方法であって、
前記基地局ゲートウェイが、コアネットワークからのデータをバッファリングし、
前記基地局ゲートウェイが、通信元のホーム基地局と通信先のホーム基地局とシグナリングのやり取りをして、前記通信元のホーム基地局から通信先のホーム基地局に切り替え、
前記基地局ゲートウェイが、前記通信先のホーム基地局から送信された切り替え要求確認メッセージを受信した後、前記通信先のホーム基地局に対して、データバッファモジュールにバッファリングされたデータを送信することを特徴とする方法。
【請求項２２】
前記基地局ゲートウェイが、前記通信先のホーム基地局から送信された切り替え終了メッセージを受信するまで、前記通信元のホーム基地局に対して、データバッファモジュールにバッファリングされたデータを送信するステップＥ、又は、
前記基地局ゲートウェイが、前記通信先のホーム基地局から送信された切り替え要求確認メッセージを受信するまで、前記通信元のホーム基地局に対して、データバッファモジュールにバッファリングされたデータを送信するステップＥ’
を更に含むことを特徴とする請求項２１に記載の方法。
【請求項２３】
前記コアネットワークからのデータのトラフィック分類がリアルタイムトラフィックである場合、前記ステップＥを実行し、前記コアネットワークからのデータのトラフィック分類がリアルタイムトラフィックではない場合、前記ステップＥ’を実行することを特徴とする請求項２２に記載の方法。
【請求項２４】
前記ステップＥの実行後において、更に、
前記基地局ゲートウェイが、前記通信先のホーム基地局に対して、バッファを確立して受信した下りデータをバッファリングするよう通知するステップＦを含むことを特徴とする請求項２３に記載の方法。
【発明の詳細な説明】
【技術分野】
【０００１】
本発明は、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ：統合無線通信システム）とＬＴＥ（Ｌｏｎｇ  Ｔｅｒｍ  Ｅｖｏｌｕｔｉｏｎ：ロング・ターム・エボリューション）ネットワークにおける切り替え技術に関し、特に、基地局ゲートウェイ、基地局ゲートウェイによる基地局切り替え方法及びデータ処理方法に関する。
【背景技術】
【０００２】
統計によると、７０％近くのトラフィック量は室内から発されている。現在の２Ｇ／２．５Ｇネットワークの運営経験から見ると、移動ユーザの６０％の時間は室内にある。高いデータレート、長距離伝送及び無線信号が建築物を通過して減衰するなどの要素を総合的に考えると、優れたネットワークカバー能力、特に室内カバー能力は、プロバイタ及びメーカーから注目されつつある。
【０００３】
フェムトセル（Ｆｅｍｔｏｃｅｌｌ）技術は、移動通信の室内カバー能力を拡張させる解決案であり、住宅及びオフィスの環境に適用する。ユーザの携帯電話からの音声とデータコールを、標準インタフェースに基づいた３Ｇコアネットワークに伝送でき、従来のＩＰに基づいた伝送ネットワークのあらゆるネットワークに接続することができる。
【０００４】
３ＧＰＰ（第３世代移動体通信システムの標準化団体）は、フェムトセルの推進、即ち、ホーム基地局がＵＭＴＳ仕組みのアーキテクチャとＬＴＥ仕組みのアーキテクチャにおける標準化を積極的に行なっている。
【０００５】
図１は、従来のＵＭＴＳのアーキテクチャを示し、図２は、既に確定された３Ｇ  ＨＮＢ（３Ｇ  Ｈｏｍｅ  ＮｏｄｅＢ）のアーキテクチャである。図１と図２から見ると、３Ｇ  ＨＮＢのアーキテクチャでは、３Ｇ  ＨＮＢがＲＮＣの機能を集成しており、３Ｇ  ＨＮＢと３Ｇ  ＨＮＢ  ＧＷ（３Ｇ  ＨＮＢゲートウェイ）との間はIｕｈインタフェースである。Iｕｈインタフェースは、Iｕインタフェースの機能をサポートする他、３Ｇ  ＨＮＢの登録、ユーザ設備（Ｕｓｅｒ  Ｅｑｕｉｐｍｅｎｔ：ＵＥ）からＨＮＢへの登録、ＨＮＢ  ＧＷの発見などの機能もサポートする。３Ｇ  ＨＮＢ  ＧＷからコアネットワーク側まではIｕインタフェースである。なお、伝統的なＵＭＴＳのアーキテクチャでは、ＲＮＣの間はIｕｒインタフェースを有し、３Ｇ  ＨＮＢ  ＧＷの間はインタフェースがない。
【０００６】
図３は、ＬＴＥのアーキテクチャを示し、ネットワークのアーキテクチャが扁平化され、ＩＰ化されている。アクセスネットワークは、ｅＮｏｄｅＢ（ｅｖｏｌｖｅｄｅ  ＮｏｄｅＢ）からなる。ｅＮｏｄｅＢの間は、Ｘ２インタフェースを介して接続し、メッシュ（ｍｅｓｈ）方式で互いに接続されている。同時に、ｅＮｏｄｅＢは、Ｓ１インタフェースを介してＥＰＣ（Ｅｖｏｌｖｅｄ  Ｐａｃｋｅｔ  Ｃｏｒｅ）に接続されている。Ｓ１インタフェースは、多数対多数のＭＭＥ、Ｓ‐ＧＷとｅＮｏｄｅＢとの接続をサポートする。
【０００７】
ホーム基地局は、ＬＴＥではＨｏｍｅ  ＮｏｄｅＢ（ＨｅＮＢ）といい、積極的に検討されている。大量なＨｅＮＢがコアネットワークにアクセスすることで、セキュリティや制御上の考慮をしなければならないので、３Ｇ  ＨＮＢ  ＧＷのようなネットワークエレメントの導入が必要となる。一般的には、コストのことを考慮して、ＨｅＮＢの間ではＸ２インタフェースが設置されない。
【０００８】
３ＧＰＰ標準では、ホーム基地局に対してＣＳＧ（Ｃｌｏｓｅｄ  Ｓｕｂｓｃｒｉｂｅｒ  Ｇｒｏｕｐ）という思想が導入されている。即ち、移動ユーザがホーム基地局にアクセスするには権限が必要であり、移動ユーザがどのＨＮＢにアクセスできるかは、所在するＣＳＧによって決められる。一般的には、二種類のＣＳＧ配置方式がある。その一つはｓｉｎｇｌｅ-ｃｅｌｌ  ＣＳＧ（シングルセルＣＳＧ）であり、移動ユーザが一つのホーム基地局のみにアクセスできる。これは、大衆的なＣＳＧ配置方式であり、即ち、各家庭では、一つのホーム基地局を備え、登録済みの家族の皆さん又は友人がこれを利用する。登録情報に基づいて、移動ユーザは、一つ又は異なるＣＳＧに属する複数のＨＮＢにしかアクセスできない。もう一つのＣＳＧ配置方式は、ｍｕｌｔｉ-ｃｅｌｌ  ＣＳＧ（マルチセルＣＳＧ）方式であり、複数のＨＮＢが一つのＣＳＧに属する。該ｍｕｌｔｉ-ｃｅｌｌ  ＣＳＧ方式は、一般的に企業、学校、及び大型住宅地に配置され、移動ユーザが同一のＣＳＧに属する複数のＨＮＢにアクセスすることができる。
【発明の概要】
【発明が解決しようとする課題】
【０００９】
本発明を実現する過程では、発明者は、従来技術には少なくとも以下の問題が存在していると発見した。
【００１０】
ユーザプレーンでは、ＨＮＢの間に直接なインタフェースがないため、切り替え中にデータがなくされる可能性がある。
【００１１】
制御プレーンでは以下の問題が存在している。従来技術において、ＨＮＢ  ＧＷがＨＮＢアーキテクチャでは主にＴＮＬ（Ｔｒａｎｓｐｏｒｔ  Ｎｅｔｗｏｒｋ  Ｌａｙｅｒ）において集中処理の機能と、データベアラ及びシグナリングベアラを配布する機能を働き、ＲＮＬ（Ｒａｄｉｏ  Ｎｅｔｗｏｒｋ  ｌａｙｅｒ）に対して透過伝送しているので、ＨＮＢによる切り替えには、処理時間が長く、コアネットワークとのシグナリングのやり取りが複雑といった欠点がある。
【００１２】
以上、ＵＭＴＳを例として従来技術における問題点を説明したが、同様の問題がＬＴＥにおいても存在する。
【００１３】
本発明の実施例の目的は、基地局ゲートウェイ、基地局ゲートウェイによる基地局切り替え方法及びデータ処理方法を提供して、基地局切り替えの処理時間を低減させ、基地局切り替え時にコアネットワークとのシグナリングを簡単化させることにある。
【課題を解決するための手段】
【００１４】
上記目的を実現するために、本発明の実施例では、同一のマルチセルクローズドユーザグループに属する少なくとも二つのホーム基地局を管轄する基地局ゲートウェイを提供している。
【００１５】
該基地局ゲートウェイは、上記少なくとも二つのホーム基地局の第１の識別子を記憶するための記憶モジュールと、通信元のホーム基地局から送信された切り替え要求メッセージをＲＡＮＡＰプロトコルで分析し、上記切り替え要求における通信先のホーム基地局の第２の識別子を取得するための分析モジュールと、上記記憶モジュールを検索し、上記第２の識別子が上記第１の識別子のうちの一つであるか否かを判断して判断結果を得るための判断モジュールと、上記判断結果により、上記第２の識別子が上記第１の識別子のうちの一つであることを示すとき、上記通信元のホーム基地局と通信先のホーム基地局とやり取りして、上記通信元のホーム基地局から通信先のホーム基地局への切り替えをＲＡＮＡＰプロトコルで実現するための切り替え制御モジュールと、上記判断結果により、上記第２の識別子が上記第１の識別子のうちの一つではないことを示すとき、上記切り替え要求メッセージをコアネットワークへ転送するための転送モジュールとを含む。
【００１６】
上記基地局ゲートウェイが管轄する上記ホーム基地局は、ＵＭＴＳにおけるホーム基地局又はＬＴＥネットワークにおけるホーム基地局である。
【００１７】
上記基地局ゲートウェイの上記切り替え制御モジュールは、上記切り替え要求メッセージを受信し、上記切り替え要求メッセージを受信した後、上記通信先のホーム基地局に対して切り替え要求命令を送信するための第１の送受信手段と、上記通信先のホーム基地局との間にトランスポートネットワークレイヤの伝送チャネルを確立するためのチャネル確立手段と、トランスポートネットワークレイヤの伝送チャネルが確立された後に上記通信先のホーム基地局から返信された切り替え要求確認メッセージを受信し、上記切り替え要求確認メッセージを受信した後、上記通信元のホーム基地局に対して切り替え命令メッセージを送信するための第２の送受信手段とを含む。
【００１８】
上記切り替え命令メッセージに基づいて、上記通信元のホーム基地局、ユーザ設備、通信先のホーム基地局は、上記通信元のホーム基地局から通信先のホーム基地局への切り替えを実現する。
【００１９】
上記基地局ゲートウェイの上記切り替え制御モジュールは、切り替えた後に上記通信先のホーム基地局から送信された切り替え終了メッセージを受信し、上記切り替え終了メッセージを受信した後、上記通信元のホーム基地局に対して資源放出命令を送信するための第３の送受信手段を更に含む。
【００２０】
上記資源放出命令に基づいて、上記通信元のホーム基地局は、アクセスリンク制御応用部分のデータ伝送ベアラを放出する。
【００２１】
上記基地局ゲートウェイは、コアネットワークからのデータをバッファリングするためのデータバッファモジュールと、上記切り替え制御モジュールが上記通信先のホーム基地局から送信された切り替え要求確認メッセージを受信した後、上記通信先のホーム基地局に対して、データバッファモジュールにバッファリングされたデータを送信するための第１のデータ送信モジュールとを更に含む。
【００２２】
上記基地局ゲートウェイは、上記切り替え制御モジュールが上記通信先のホーム基地局から送信された切り替え終了メッセージを受信するまで、上記通信元のホーム基地局に対して、データバッファモジュールにバッファリングされたデータを送信するための第２のデータ送信モジュールを更に含む。
【００２３】
上記基地局ゲートウェイは、上記切り替え制御モジュールが上記通信先のホーム基地局から送信された切り替え要求確認メッセージを受信するまで、上記通信元のホーム基地局に対して、データバッファモジュールにバッファリングされたデータを送信するための第３のデータ送信モジュールを更に含む。
【００２４】
上記基地局ゲートウェイは、上記切り替え制御モジュールが上記通信先のホーム基地局から送信された切り替え終了メッセージを受信するまで、上記通信元のホーム基地局に対して、データバッファモジュールにバッファリングされたデータを送信するための第２のデータ送信モジュールと、上記切り替え制御モジュールが上記通信先のホーム基地局から送信された切り替え要求確認メッセージを受信するまで、上記通信元のホーム基地局に対して、データバッファモジュールにバッファリングされたデータを送信するための第３のデータ送信モジュールと、移動端末に配布されたデータのトラフィック分類がリアルタイムトラフィックである場合、上記第２のデータ送信モジュールを起動させて上記第３のデータ送信モジュールを停止させ、リアルタイムトラフィックではない場合、上記第３のデータ送信モジュールを起動させて上記第２のデータ送信モジュールを停止させるための伝送モード選択モジュールとを更に含む。
【００２５】
上記基地局ゲートウェイは、移動端末に配布されたデータのトラフィック分類がリアルタイムトラフィックである場合、上記通信先のホーム基地局に対して、バッファを確立して受信した下りデータをバッファリングするよう通知するための通知モジュールを更に含む。
【００２６】
上記目的を実現するために、本発明の実施例では、同一のマルチセルクローズドユーザグループに属する少なくとも二つのホーム基地局を管轄する基地局ゲートウェイによる基地局切り替え方法を更に提供している。
【００２７】
上記方法は、基地局ゲートウェイが、通信元のホーム基地局から送信された切り替え要求メッセージをＲＡＮＡＰプロトコルを利用して分析し、上記切り替え要求における通信先のホーム基地局の第２の識別子を取得するステップＡと、上記基地局ゲートウェイが、予め格納されたものであって、上記同一のマルチセルクローズドユーザグループに属する少なくとも二つのホーム基地局の第１の識別子を検索し、上記第２の識別子が上記第１の識別子のうちの一つであるか否かを判断して判断結果を得るステップＢと、上記判断結果により、上記第２の識別子が上記第１の識別子のうちの一つであることを示すとき、上記基地局ゲートウェイが、上記通信元のホーム基地局と通信先のホーム基地局とやり取りして、上記通信元のホーム基地局から通信先のホーム基地局への切り替えをＲＡＮＡＰプロトコルで実現し、上記第２の識別子が上記第１の識別子のうちの一つではないことを示すとき、上記切り替え要求メッセージをコアネットワークへ転送するステップＣとを含む。
【００２８】
上記方法の上記ステップＣにおいて、上記基地局ゲートウェイが、上記切り替え要求メッセージを受信し、上記切り替え要求メッセージを受信した後、上記通信先のホーム基地局に対して切り替え要求命令を送信し、上記基地局ゲートウェイが、上記通信先のホーム基地局との間にトランスポートネットワークレイヤの伝送チャネルを確立し、上記基地局ゲートウェイが、トランスポートネットワークレイヤの伝送チャネルが確立された後に上記通信先のホーム基地局から返信された切り替え要求確認メッセージを受信し、上記基地局ゲートウェイが、上記通信元のホーム基地局に対して切り替え命令メッセージを送信し、上記切り替え命令メッセージに基づいて、上記通信元のホーム基地局、ユーザ設備、通信先のホーム基地局はやり取りして、上記通信元のホーム基地局から通信先のホーム基地局への切り替えを実現する。
【００２９】
上記方法の上記ステップＣにおいて、上記基地局ゲートウェイが、切り替えた後に上記通信先のホーム基地局から送信された切り替え終了メッセージを受信し、上記通信元のホーム基地局に対して資源放出命令を送信し、上記資源放出命令に基づいて、上記通信元のホーム基地局は、アクセスリンク制御応用部分のデータ伝送ベアラを放出する。
【００３０】
上記ステップＣの実行中において、上記方法は、更に、上記基地局ゲートウェイが、コアネットワークからのデータをバッファリングするステップＤと、上記基地局ゲートウェイが、上記通信先のホーム基地局から送信された切り替え要求確認メッセージを受信した後、上記通信先のホーム基地局に対して、バッファリングされたデータを送信するステップＥとを含む。
【００３１】
上記方法の上記ステップＤの実行後に、更に、上記基地局ゲートウェイが、上記通信先のホーム基地局から送信された切り替え終了メッセージを受信するまで、上記通信元のホーム基地局に対して、データバッファモジュールにバッファリングされたデータを送信するステップＥ、又は、上記基地局ゲートウェイが、上記切り替え制御モジュールが上記通信先のホーム基地局から送信された切り替え要求確認メッセージを受信するまで、上記通信元のホーム基地局に対して、データバッファモジュールにバッファリングされたデータを送信するステップＥ’を含む。
【００３２】
上記方法では、上記コアネットワークからのデータのトラフィック分類がリアルタイムトラフィックである場合、上記ステップＥを実行し、上記コアネットワークからのデータのトラフィック分類がリアルタイムトラフィックではない場合、上記ステップＥ’を実行する。
【００３３】
上記方法では、上記ステップＥの実行後に、更に、上記基地局ゲートウェイが、上記通信先のホーム基地局に対して、バッファを確立して受信した下りデータをバッファリングするよう通知するステップＦを含む。
【００３４】
上記目的を実現するために、本発明の実施例では、同一のマルチセルクローズドユーザグループに属する少なくとも二つのホーム基地局を管轄する基地局ゲートウェイを更に提供している。
【００３５】
該基地局ゲートウェイは、コアネットワークからのデータをバッファリングするためのデータバッファモジュールと、通信元のホーム基地局と通信先のホーム基地局とシグナリングのやり取りをして、上記通信元のホーム基地局から通信先のホーム基地局に切り替えるためのシグナリングやり取りモジュールと、上記シグナリングやり取りモジュールが上記通信先のホーム基地局から送信された切り替え要求確認メッセージを受信した後、上記通信先のホーム基地局に対して、データバッファモジュールにバッファリングされたデータを送信するための第１のデータ送信モジュールとを含む。
【００３６】
上記基地局ゲートウェイは、上記シグナリングやり取りモジュールが上記通信先のホーム基地局から送信された切り替え終了メッセージを受信するまで、上記通信元のホーム基地局に対して、データバッファモジュールにバッファリングされたデータを送信するための第２のデータ送信モジュール、又は、上記シグナリングやり取りモジュールが上記通信先のホーム基地局から送信された切り替え要求確認メッセージを受信するまで、上記通信元のホーム基地局に対して、データバッファモジュールにバッファリングされたデータを送信するための第３のデータ送信モジュールとを更に含む。
【００３７】
上記基地局ゲートウェイは、上記シグナリングやり取りモジュールが上記通信先のホーム基地局から送信された切り替え終了メッセージを受信するまで、上記通信元のホーム基地局に対して、データバッファモジュールにバッファリングされたデータを送信するための第２のデータ送信モジュールと、上記シグナリングやり取りモジュールが上記通信先のホーム基地局から送信された切り替え要求確認メッセージを受信するまで、上記通信元のホーム基地局に対して、データバッファモジュールにバッファリングされたデータを送信するための第３のデータ送信モジュールと、移動端末に配布されたデータのトラフィック分類がリアルタイムトラフィックである場合、上記第２のデータ送信モジュールを起動させて上記第３のデータ送信モジュールを停止させ、リアルタイムトラフィックではない場合、上記第３のデータ送信モジュールを起動させて上記第２のデータ送信モジュールを停止させるための伝送モード選択モジュールとを更に含む。
【００３８】
上記基地局ゲートウェイは、移動端末に配布されたデータのトラフィック分類がリアルタイムトラフィックである場合、上記通信先のホーム基地局に対して、バッファを確立して受信した配布データをバッファリングするよう通知する通知モジュールを更に含む。
【００３９】
上記目的を実現するために、同一のマルチセルクローズドユーザグループに属する少なくとも二つのホーム基地局を管轄する基地局ゲートウェイによる基地局切り替え時のデータ処理方法を更に提供している。
【００４０】
上記方法は、上記基地局ゲートウェイが、コアネットワークからのデータをバッファリングし、上記基地局ゲートウェイが、通信元のホーム基地局と通信先のホーム基地局とシグナリングのやり取りをして、上記通信元のホーム基地局から通信先のホーム基地局に切り替え、上記基地局ゲートウェイが、上記通信先のホーム基地局から送信された切り替え要求確認メッセージを受信した後、上記通信先のホーム基地局に対して、データバッファモジュールにバッファリングされたデータを送信する。
【００４１】
上記方法では、上記基地局ゲートウェイが、上記通信先のホーム基地局から送信された切り替え終了メッセージを受信するまで、上記通信元のホーム基地局に対して、データバッファモジュールにバッファリングされたデータを送信するステップＥ、又は、上記基地局ゲートウェイが、上記通信先のホーム基地局から送信された切り替え要求確認メッセージを受信するまで、上記通信元のホーム基地局に対して、データバッファモジュールにバッファリングされたデータを送信するステップＥ’を更に含む。
【００４２】
上記方法では、上記コアネットワークからのデータのトラフィック分類がリアルタイムトラフィックである場合、上記ステップＥを実行し、上記コアネットワークからのデータのトラフィック分類がリアルタイムトラフィックではない場合、上記ステップＥ’を実行する。
【００４３】
上記方法の上記ステップＥの実行後に、更に、上記基地局ゲートウェイが、上記通信先のホーム基地局に対して、バッファを確立して受信した下りデータをバッファリングするよう通知するステップＦを含む。
【発明の効果】
【００４４】
本発明の実施例によれば、下記の優れた効果を有している。
【００４５】
本発明の実施例の基地局ゲートウェイが、基地局ゲートウェイに所属するホーム基地局間の切り替えを実行するときに、ホーム基地局が同一のＣＳＧに属すると判断すると、ＲＡＮＡＰプロトコルを用いて上記通信元のホーム基地局と通信先のホーム基地局とやり取りして、上記通信元のホーム基地局から通信先のホーム基地局への切り替えを実現する。従来技術と比べ、コアネットワークとやり取りする必要がないため、コアネットワークの処理負担を軽減させ、コアネットワークとのシグナリングのやり取りを減少させたと共に、同一のＣＳＧに属するホーム基地局間の切り替え処理のスピードを大幅に加速し、切り替え処理の時間を減少させている。
【００４６】
本発明の方法及び装置によれば、同一のＣＳＧに属する３Ｇホーム基地局の間に切り替えるとき、３Ｇホーム基地局ゲートウェイは、なるべく早く通信先の３Ｇホーム基地局にデータを配布し、パケットがなくされる可能性を可能な限り減少できると共に、通信元の３Ｇホーム基地局へのデータ配布をなるべく遅く停止させ、別の面からパケットがなくされる可能性を減少できる。異なるトラフィック分類によって、通信元の３Ｇホーム基地局へデータを配布する方式は、自由に選択可能なため、パケットがなくされる可能性を減少できると共に、チャネル資源の占用を可能な限り少なくする。
【図面の簡単な説明】
【００４７】
【図１】従来のＵＭＴＳのアーキテクチャを示す。
【図２】既に確定された３Ｇ  Ｈｏｍｅ  ＮｏｄｅＢ（３Ｇ  ＨＮＢ）アーキテクチャを示す。
【図３】ＬＴＥのアーキテクチャを示す。
【図４】本発明の実施例の応用状況を示す。
【図５】本発明の実施例の３Ｇホーム基地局ゲートウェイの構造図である。
【図６】本発明の実施例の基地局ゲートウェイによる基地局切り替え方法の流れを示す。
【図７】本発明の実施例の基地局ゲートウェイによる基地局切り替え方法のステップ６３の流れを示す。
【図８】本発明の実施例の３Ｇホーム基地局ゲートウェイによる３Ｇホーム基地局切り替え時のデータ処理方法の流れを示す。
【発明を実施するための形態】
【００４８】
本発明の基地局ゲートウェイ、基地局ゲートウェイによる基地局切り替え方法及びデータ処理方法では、ホーム基地局のゲートウェイにおいて、ＲＮＬ制御シグナリング分析処理モジュールを設置する。該ＲＮＬ制御シグナリング分析処理モジュールは、ＲＡＮＡＰ（Ｒａｄｉｏ  Ａｃｃｅｓｓ  Ｎｅｔｗｏｒｋ  Ａｐｐｌｉｃａｔｉｏｎ  Ｐａｒｔ）で移動アンカーの機能を働き、ユーザ設備がホーム基地局ゲートウェイ管轄内のホーム基地局の間においてシグナリングのやり取りの流れが簡単で且つ速度が速い切り替えを実現できるようにする。
【００４９】
室内カバーを向上させる伝統的な方法とは異なり、ホーム基地局は、室内に設置された小型無線基地局であって、そのアクセス技術がＧＳＭ、ＵＭＴＳであってもよいし、ＬＴＥであってもよい。現在、３ＧＰＰはホーム基地局の標準化問題を検討している。
【００５０】
本発明の実施例を詳しく説明するに先立って、本発明がより理解されるために、まずマルチセルＣＳＧ状況について詳しく説明する。
【００５１】
一般的には、マルチセルＣＳＧは企業、学校、大型住宅地に配置され、移動ユーザが、同一のＣＳＧに属する複数のホーム基地局を利用する権限をもつ。これらのホーム基地局は、隣接するものであり、ホーム基地局ゲートウェイを介してコアネットワークに接続する。
【００５２】
想像できることとして、ユーザが企業、学校、大型住宅地では頻繁に移動するものである。通話状態では、異なるＨＮＢ間の切り替え問題に関わる。
【００５３】
図４は、本発明の実施例の応用状況を示す。図４に示すように、３Ｇホーム基地局ゲートウェイは、それぞれ３Ｇホーム基地局１、３Ｇホーム基地局２、３Ｇホーム基地局３の三つの３Ｇホーム基地局に接続し、且つ、現在ユーザ設備が３Ｇホーム基地局２のカバー範囲にあるが、３Ｇホーム基地局１の方向に向かって移動している。
【００５４】
本発明の実施例の３Ｇホーム基地局ゲートウェイは、少なくとも二つの３Ｇホーム基地局を管轄し、マルチセルＣＳＧに応用する。図５に示すように、３Ｇホーム基地局ゲートウェイは、記憶モジュール、分析モジュール、判断モジュール、切り替え制御モジュール、及び転送モジュールを含む。
【００５５】
記憶モジュールは、上記少なくとも二つの３Ｇホーム基地局の第１の識別子を記憶する。
【００５６】
分析モジュールは、通信元の３Ｇホーム基地局から送信された切り替え要求メッセージ（Ｒｅｌｏｃａｔｉｏｎ  Ｒｅｑｕｉｒｅｄ）をＲＡＮＡＰプロトコルで分析し、上記切り替え要求に含まれる通信先の３Ｇホーム基地局の第２の識別子、つまりユーザ設備の切り替え先の３Ｇホーム基地局の識別子を取得する。
【００５７】
判断モジュールは、上記記憶モジュールを検索し、上記第２の識別子が、上記第１の識別子のうちの一つであるか否かを判断して判断結果を得る。
【００５８】
切り替え制御モジュールは、上記判断結果により、上記第２の識別子が上記第１の識別子のうちの一つであることを示すとき、上記通信元の３Ｇホーム基地局と通信先の３Ｇホーム基地局とやり取りして、３Ｇホーム基地局の切り替えをＲＡＮＡＰプロトコルで実現する。
【００５９】
転送モジュールは、上記判断結果により、上記第２の識別子が上記第１の識別子のうちの一つではないことを示すとき、上記切り替え要求メッセージをコアネットワークへ転送する。
【００６０】
以下、図４に示される状況を例として詳しく説明する。
【００６１】
図４に示すように、ユーザ設備は、現在、３Ｇホーム基地局２のカバー範囲内にあり、且つ３Ｇホーム基地局１の方向へ移動している。３Ｇホーム基地局１と３Ｇホーム基地局２とが共にカバーする範囲内の特定な場所にユーザ設備が移動したとき、３Ｇホーム基地局２は、切り替えが必要であると判断する。このとき、３Ｇホーム基地局２は、３Ｇホーム基地局ゲートウェイに切り替え要求メッセージを送信する。切り替え要求には、３Ｇホーム基地局（つまり３Ｇホーム基地局１）の第２の識別子が含まれている。
【００６２】
３Ｇホーム基地局ゲートウェイが、該切り替え要求メッセージを受信すると、分析をして３Ｇホーム基地局１の第２の識別子を取得する。３Ｇホーム基地局１、２、３の識別子が記憶モジュールに記憶されているため、検索して比較した結果、３Ｇホーム基地局１がその管轄範囲内にあることが分かる。このとき、３Ｇホーム基地局ゲートウェイが上記３Ｇホーム基地局１と３Ｇホーム基地局２とやり取りして、ホーム基地局２から３Ｇホーム基地局１への切り替えをＲＡＮＡＰプロトコルを用いて実現する。
【００６３】
このとき、移動端末が引き続き移動し、３Ｇホーム基地局１と３Ｇホーム基地局Ｘ（３Ｇホーム基地局ゲートウェイの管轄に属しない）とが共にカバーする範囲内の特定な場所にユーザ設備が移動したとき、３Ｇホーム基地局１は、切り替えが必要であると判断する。このとき、３Ｇホーム基地局１は、３Ｇホーム基地局ゲートウェイに切り替え要求メッセージを送信する。切り替え要求には、３Ｇホーム基地局（つまり３Ｇホーム基地局Ｘ）の第２の識別子が含まれている。
【００６４】
３Ｇホーム基地局ゲートウェイが、該切り替え要求メッセージを受信すると、分析をして３Ｇホーム基地局Ｘの第２の識別子を取得する。記憶モジュールには３Ｇホーム基地局１、２、３の識別子のみが記憶されているため、検索して比較した結果、３Ｇホーム基地局Ｘがその管轄範囲内に属しないことが分かる。このとき、上記切り替え要求メッセージをコアネットワークに転送し、従来の処理の流れに従って３Ｇホーム基地局の切り替えを行なう。
【００６５】
以下、本発明の実施例の３Ｇホーム基地局ゲートウェイの切り替え制御モジュールについて詳しく説明する。
【００６６】
具体的に、該切り替え制御モジュールは、切り替え要求メッセージを受信し、切り替え要求メッセージを受信した後、上記通信先の３Ｇホーム基地局に対して切り替え要求命令を送信するための第１の送受信手段と、上記通信先の３Ｇホーム基地局との間にトランスポートネットワークレイヤの伝送チャネルを確立するためのチャネル確立手段と、トランスポートネットワークレイヤの伝送チャネルが確立された後に上記通信先の３Ｇホーム基地局から返信された切り替え要求確認メッセージ（Ｒｅｌｏｃａｔｉｏｎ  Ｒｅｑｕｅｓｔ  Ａｃｋ）を受信し、上記切り替え要求確認メッセージを受信した後、上記通信元の３Ｇホーム基地局に対して切り替え命令メッセージ（Ｒｅｌｏｃａｔｉｏｎ  Ｃｏｍｍａｎｄ）を送信するための第２の送受信手段とを含み、上記切り替え命令メッセージに基づいて、上記通信元の３Ｇホーム基地局、ユーザ設備、通信先の３Ｇホーム基地局はやり取りして、通信元の３Ｇホーム基地局から通信先の３Ｇホーム基地局への切り替えを実現する。
【００６７】
切り替えが終了した後、通信元の３Ｇホーム基地局と移動設備との間の資源を放出する必要がある。従って、本発明の実施例の切り替え制御モジュールには、第３の送受信手段を更に含む。
【００６８】
該第３の送受信手段は、切り替えた後に通信先の３Ｇホーム基地局から送信された切り替え終了メッセージ（Ｒｅｌｏｃａｔｉｏｎ  Ｃｏｍｐｌｅｔｅ）を受信し、切り替え終了メッセージを受信した後、通信元の３Ｇホーム基地局に対してIｕ資源放出命令（Ｉｕ  Ｒｅｌｅａｓｅ  Ｃｏｍｍａｎｄ）を送信する。上記Ｉｕ資源放出命令に基づいて、通信元の３Ｇホーム基地局は、Iｕのデータ伝送ベアラを放出する。
【００６９】
本発明の実施例の３Ｇホーム基地局ゲートウェイに関する記載から次のことが分かる。従来技術において、３Ｇホーム基地局ゲートウェイがＲＮＬ（Ｒａｄｉｏ  Ｎｅｔｗｏｒｋ  ｌａｙｅｒ：無線ネットワークレイヤ）において透過伝送するため、ＣＳＧ内部の基地局切り替えを実行する際に、コアネットワークに転送して処理する必要がある。流れが複雑なだけではなく、切り替えに要する時間も長くなる。一方、本発明の実施例の３Ｇホーム基地局ゲートウェイは、ＲＡＮＡＰプロトコルを利用することで移動アンカーの機能を提供できるため、次の優れた効果を有する。即ち、ＣＳＧ内部の基地局切り替えを実行する際に、コアネットワークに転送して処理する必要がないので、処理の流れが簡単となり、更に切り替えに要する時間も節約されている。
【００７０】
本発明の実施例のホーム基地局による基地局切り替え方法は、図５に示すように、次のステップを有する。
【００７１】
ステップ６１において、３Ｇホーム基地局ゲートウェイが、通信元の３Ｇホーム基地局から送信された切り替え要求メッセージをＲＡＮＡＰプロトコルを利用して分析し、上記切り替え要求における通信先の３Ｇホーム基地局の第２の識別子、つまりユーザ設備の切り替え先の３Ｇホーム基地局の識別子を取得する。
【００７２】
ステップ６２において、３Ｇホーム基地局ゲートウェイが、予め格納されたものであって、上記３Ｇホーム基地局ゲートウェイが管轄する上記少なくとも二つの３Ｇホーム基地局の第１の識別子を検索し、上記第２の識別子が上記第１の識別子のうちの一つであるか否かを判断して判断結果を得る。
【００７３】
ステップ６３において、上記判断結果により、上記第２の識別子が上記第１の識別子のうちの一つであることを示すとき、３Ｇホーム基地局ゲートウェイが、上記通信元の３Ｇホーム基地局と通信先の３Ｇホーム基地局とやり取りして、３Ｇホーム基地局の切り替えをＲＡＮＡＰプロトコルで実現する。
【００７４】
ステップ６４において、上記判断結果により、上記第２の識別子が上記第１の識別子のうちの一つではないことを示すとき、３Ｇホーム基地局ゲートウェイが、上記切り替え要求メッセージをコアネットワークへ転送する。
【００７５】
以下、ステップ６３について詳しく説明する。図７に示すように、具体的に下記ステップを有する。
【００７６】
ステップ６３１において、３Ｇホーム基地局ゲートウェイが、切り替え要求メッセージを受信し、通信先の３Ｇホーム基地局が管轄範囲に属すると分析したとき、上記通信先の３Ｇホーム基地局に対して切り替え要求命令（Ｒｅｌｏｃａｔｉｏｎ  Ｒｅｑｕｅｓｔ）を送信する。
【００７７】
ステップ６３２において、３Ｇホーム基地局ゲートウェイが、上記通信先の３Ｇホーム基地局との間にトランスポートネットワークレイヤの伝送チャネルを確立する。
【００７８】
ステップ６３３において、３Ｇホーム基地局ゲートウェイが、トランスポートネットワークレイヤの伝送チャネルが確立された後に上記通信先の３Ｇホーム基地局から返信された切り替え要求確認メッセージを受信する。
【００７９】
ステップ６３４において、３Ｇホーム基地局ゲートウェイが、上記通信元の３Ｇホーム基地局に対して切り替え命令メッセージを送信する。上記切り替え命令メッセージに基づいて、上記通信元の３Ｇホーム基地局、ユーザ設備、通信先の３Ｇホーム基地局はやり取りして、通信元の３Ｇホーム基地局から通信先の３Ｇホーム基地局への切り替えを実現する（詳しくは、図７におけるステップ６３４と６３５の間の部分を参照されたい）。
【００８０】
ステップ６３５において、３Ｇホーム基地局ゲートウェイが、切り替えた後に通信先の３Ｇホーム基地局から送信された切り替え終了メッセージを受信する。
【００８１】
ステップ６３６において、３Ｇホーム基地局ゲートウェイが、通信元の３Ｇホーム基地局に対してIｕ資源放出命令を送信する。
【００８２】
ステップ６３７において、上記Iｕ資源放出命令に基づいて、通信元の３Ｇホーム基地局と通信先の３Ｇホーム基地局ゲートウェイとやり取りして、Iｕのデータ伝送ベアラを放出する。
【００８３】
ステップ６３８において、３Ｇホーム基地局ゲートウェイが、通信元の３Ｇホーム基地局から送信されたIｕ放出終了命令を受信して、流れを終了する。
【００８４】
もちろん、上記の流れでは、３Ｇホーム基地局（例えばＨＮＢ、ＨｅＮＢなど）と３Ｇホーム基地局ゲートウェイを例として説明したが、本発明の実施例は、今後現れうる全ての通信システムに適用可能であることが理解される。
【００８５】
背景技術部分でも言及されたように、ユーザプレーンでは、３Ｇホーム基地局の間にはIｕｒ又はＸ２に類似するインタフェースが存在しないため、データは、３Ｇホーム基地局の間にインタフェースを介して伝送できないので、下りデータが切り替え中になくされる可能性がある。従って、本発明の実施例は、３Ｇホーム基地局ゲートウェイ及び３Ｇホーム基地局切り替え時のデータ処理方法を更に提供している。
【００８６】
本発明の実施例の３Ｇホーム基地局ゲートウェイは、コアネットワークからのデータをバッファリングするためのデータバッファモジュールと、通信元の３Ｇホーム基地局と通信先の３Ｇホーム基地局とシグナリングのやり取りをするシグナリングやり取りモジュールと、シグナリングやり取りモジュールが上記通信先の３Ｇホーム基地局から送信された切り替え要求確認メッセージを受信した後、上記通信先の３Ｇホーム基地局に対して、データバッファモジュールにバッファリングされたデータを送信するための第１のデータ送信モジュールとを含む。
【００８７】
本発明の具体的な実施例では、シグナリングやり取りモジュールが上記通信先の３Ｇホーム基地局から送信された切り替え要求確認メッセージを受信すると、通信先の３Ｇホーム基地局と３Ｇホーム基地局ゲートウェイとの間にデータチャネルが確立されたことを示すので、コアネットワークから受信したデータを通信先の３Ｇホーム基地局に送信し、データがなくされないことが可能な限りに保証される。
【００８８】
また、本発明の実施例の３Ｇホーム基地局ゲートウェイは、上記シグナリングやり取りモジュールが上記通信先の３Ｇホーム基地局から送信された切り替え終了メッセージを受信するまで、上記通信元の３Ｇホーム基地局に対して、データバッファモジュールにバッファリングされたデータを送信するための第２のデータ送信モジュールを更に含む。
【００８９】
上記記載から分かるように、切り替え終了後になってから、通信元の３Ｇホーム基地局へのデータ送信を停止するので、切り替えが失敗した場合にデータの完全性が一層保証される。
【００９０】
上記記載から分かるように、データの完全性のため、本発明の実施例による方法では、ホーム基地局ゲートウェイと上記通信先の３Ｇホーム基地局との間にトランスポートネットワークレイヤの伝送チャネルが確立されると、通信先の３Ｇホーム基地局にデータを伝送する。このとき、通信元の３Ｇホーム基地局へのデータ伝送は、二種類の方式がある。
【００９１】
方式一は、ホーム基地局ゲートウェイと上記通信先の３Ｇホーム基地局との間にトランスポートネットワークレイヤの伝送チャネルが確立されて、切り替え要求確認メッセージを受信すると、通信元の３Ｇホーム基地局へのデータ伝送を停止する。
【００９２】
方式二は、上記シグナリングやり取りモジュールが上記通信先の３Ｇホーム基地局から送信された切り替え終了メッセージを受信するまで、ホーム基地局ゲートウェイが上記通信元の３Ｇホーム基地局に対してデータバッファモジュールにバッファリングされたデータを送信する。
【００９３】
上記方式二が採用された場合、シグナリングやり取りモジュールが上記通信先の３Ｇホーム基地局から送信された切り替え終了メッセージを受信してから通信元のＨＮＢへの下りデータ送信を停止するので、必要のないデータやり取りを減少するために、本発明の実施例では次の措置が取られている。
【００９４】
通信元の３Ｇホーム基地局が切り替え命令メッセージを受信すると、移動局に対してＬ１／Ｌ２切り替えメッセージを送信し、通信元の３Ｇホーム基地局が移動局からの上りデータの送受信を停止し、３Ｇホーム基地局ゲートウェイからの下りデータを移動局への送信を停止する。
【００９５】
上記の通信元の３Ｇホーム基地局へのデータ伝送が二種類の伝送方式があり、具体にどの方式を採用することについては、本発明の実施例の３Ｇホーム基地局ゲートウェイが、更にパラメータ取得モジュール、トラフィック分類判断モジュール、及び伝送モード選択モジュールを含む。
【００９６】
パラメータ取得モジュールは、コアネットワークから配布されたデータベアラにおけるＱｏＳパラメータを取得する。
【００９７】
トラフィック分類判断モジュールは、上記ＱｏＳパラメータに応じてトラフィック分類を判断し、判断結果を取得する。
【００９８】
伝送モード選択モジュールは、上記判断結果により、トラフィック分類がリアルタイムトラフィックであることを示すときに、方式二を採用し、そうでない場合、方式一を採用する。つまり、一方を選択的に起動させると同時に、他方を停止させる。
【００９９】
同時に、トラフィック分類に応じて、通信先の３Ｇホーム基地局がバッファを設置する必要があるか否かを確定できる。従って、通信先の３Ｇホーム基地局が３Ｇホーム基地局ゲートウェイから配布されたデータを受信すると、データベアラにおけるＱｏＳパラメータに応じてトラフィック分類を判断し、判断結果を取得し、更に上記判断結果により、トラフィック分類がリアルタイムトラフィックであることを示すときに、バッファを設置して受信したデータをバッファし、そうでない場合、バッファを設置しない。
【０１００】
もちろん、基地局ゲートウェイに通知モジュールを設置してもよい。該通知モジュールは、移動端末に配布されたデータのトラフィック分類がリアルタイムトラフィックである場合、上記通信先のホーム基地局に対して、バッファを確立して受信した下りデータをバッファリングするよう通知する。
【０１０１】
ここでは、該バッファのサイズは、必要に応じて設置してもよいし、予め設置された経験値であってもよい。
【０１０２】
本発明の実施例の３Ｇホーム基地局ゲートウェイによる３Ｇホーム基地局実行時のデータ処理方法は、図８に示すように、次のステップを有する。
【０１０３】
ステップ８１において、３Ｇホーム基地局ゲートウェイが、コアネットワークからのデータをバッファリングする。
【０１０４】
ステップ８２において、コアネットワークから配布されたデータベアラにおけるＱｏＳパラメータを取得する。
【０１０５】
ステップ８３において、３Ｇホーム基地局ゲートウェイが、上記通信先の３Ｇホーム基地局から送信された切り替え要求確認メッセージを受信すると、上記通信先の３Ｇホーム基地局に対して、バッファリングされたデータを送信する。
【０１０６】
ステップ８４において、上記ＱｏＳパラメータに応じてトラフィック分類を判断し、判断結果を取得する。
【０１０７】
ステップ８５において、上記判断結果により、トラフィック分類がリアルタイムトラフィックであることを示すときに、上記シグナリングやり取りモジュールが上記通信先の３Ｇホーム基地局から送信された切り替え終了メッセージを受信するまで、ホーム基地局ゲートウェイが、上記通信元の３Ｇホーム基地局に対して、データバッファモジュールにバッファリングされたデータを送信する。
【０１０８】
ステップ８６において、上記判断結果により、トラフィック分類がリアルタイムトラフィックでないことを示すときに、切り替え要求確認メッセージを受信するまで、ホーム基地局ゲートウェイが、上記通信元の３Ｇホーム基地局に対して、データバッファモジュールにバッファリングされたデータを送信する。
【０１０９】
ソフト切り替え時に、ユーザ設備は、通信元のＲＮＣと通信先のＲＮＣと同時に接続されている。
【０１１０】
しかし、移動局が異なる３Ｇホーム基地局の間の切り替え時にハード切り替えを実行し、つまり、通信元の３Ｇホーム基地局との接続を切断してから、通信先の３Ｇホーム基地局と接続するため、移動局においてデータがなくされる可能性を増大させている。同様、ＨＮＢの間に直接にインタフェース（ＵＭＴＳにおけるIｕｒインタフェース又はＬＴＥにおけるＸ２インタフェース）が存在していないため、データは、通信元の３Ｇホーム基地局から通信先の３Ｇホーム基地局に転送されるのではなく、３Ｇホーム基地局ゲートウェイから通信先の３Ｇホーム基地局に配布される必要がある。これも、データがなくされる可能性を増大させている。本発明の方法及び装置において、同一のＣＳＧに属する３Ｇホーム基地局の間に切り替えるとき、３Ｇホーム基地局ゲートウェイが、なるべく早く通信先の３Ｇホーム基地局にデータを配布し、パケットがなくされる可能性を可能な限り減少させたと共に、通信元の３Ｇホーム基地局へのデータ配布をなるべく遅く停止させ、別の面からパケットがなくされる可能性を減少させた。
【０１１１】
異なるトラフィック分類によって、通信元の３Ｇホーム基地局へデータを配布する方式は、自由に選択可能であるため、パケットがなくされる可能性を減少させると共に、チャネル資源の占用を可能な限り少なくする。
【０１１２】
以上は、ＵＭＴＳを例として説明したが、本発明の実施例の方法及び装置は、ＬＴＥ、又はその他の類似な構成を有する移動通信システムにも適用可能することが理解される。処理方式が同一であるため、ここでは重複な記載を省略する。
【０１１３】
以上は、本発明の好ましい実施方式に過ぎない。なお、当該分野の一般技術者にとって、本発明の原理を背離しない前提で、若干の改進や修飾が考えられる。ただし、これらの改進や修飾も本発明の保護範囲にあることが理解される。
【図１】
2010081605.tif 000003
【図２】
2010081605.tif 000004
【図３】
2010081605.tif 000005
【図４】
2010081605.tif 000006
【図５】
2010081605.tif 000007
【図６】
2010081605.tif 000008
【図７】
2010081605.tif 000009
【図８】
2010081605.tif 000010